(57)【要約】【課題】  安全性が高く、かつ、リラックス効果の高い入浴装置を提供することを目的とする。【解決手段】  浴槽と、入浴者が横たわる浴槽プレートと、を備え、前記浴槽は、支持台と、支持台より足側に下肢浴槽と、を有し、前記支持台の上部には、前記浴槽プレートの軸部が軸支されており、前記浴槽プレートは、頭側に備える前記軸部を回動軸として、入浴時には、水平状態から足側を前記下肢浴槽内に下降させて傾斜状態で使用するものであり、前記下肢浴槽へ湯を張った状態の最大の水深は、前記浴槽プレートの足側を最下降させた際に、前記浴槽プレート上の入浴者の下半身が湯浴に浸かるほどである。【選択図】      図１
2018029886.tif 000002
【特許請求の範囲】
【請求項１】
浴槽と、入浴者が横たわる浴槽プレートと、を備え、
前記浴槽は、支持台と、支持台より足側に下肢浴槽と、を有し、前記支持台の上部には、前記浴槽プレートの軸部が軸支されており、
前記浴槽プレートは、頭側に備える前記軸部を回動軸として、入浴時には、水平状態から足側を前記下肢浴槽内へ下降させて傾斜状態で使用するものであり、
前記下肢浴槽へ湯を張った状態の最大の水深は、前記浴槽プレートの足側を最下降させた際に、前記浴槽プレート上の入浴者の下半身が湯浴に浸かるほどであることを特徴とする入浴装置。
【請求項２】
前記下肢浴槽は、前記支持台から足側へ向けて下降する傾斜部を有することを特徴とする請求項１に記載の入浴装置。
【請求項３】
前記浴槽プレートは、入浴者の足を支えるフットプレート有し、フットプレートは、前記浴槽プレートの長手方向へ進退可能に位置調整できることを特徴とする請求項１又は２に記載の入浴装置。
【請求項４】
前記浴槽の上方には、ドーム状のカバーが着脱自在に取り付けられ、前記カバーは頭側に切欠きを有し、切欠きは、入浴者の頭部をカバー外に露出させるものであることを特徴とする請求項１乃至３のいずれかに記載の入浴装置。
【請求項５】
前記浴槽は、足側端部に蒸気または霧を上方へ向けて噴出するノズルを備えることを特徴とする請求項４に記載の入浴装置。
【請求項６】
前記浴槽は、前記支持台より頭側に洗髪槽を備えることを特徴とする請求項１乃至５のいずれかに記載の入浴装置。
【請求項７】
前記浴槽と前記浴槽プレートの間に支柱が設けてあり、支柱は起倒自在であることを特徴とする請求項１乃至６のいずれかに記載の入浴装置。
【発明の詳細な説明】
【技術分野】
【０００１】
本発明は、入浴者を仰臥位で入浴させる入浴装置に関する。
【背景技術】
【０００２】
従来、体の不自由な人のための入浴手段として入浴用担架を浴槽内へ下降させることにより、入浴者が仰臥位で湯浴に浸かることのできる入浴装置が提案されている（特許文献１）。
【先行技術文献】
【特許文献】
【０００３】
【特許文献１】実公平７−０５１０５０号公報
【発明の概要】
【発明が解決しようとする課題】
【０００４】
しかしながら、体の不自由な人の中には、胸や肩まで湯に浸かることを不安に感じる人もおり、このような入浴装置では、浴槽の水面が頭部の近くに位置するため、入浴担架を浴槽内へ下降する際に湯がはねて入浴者の顔にかかることで、入浴者にストレスを与えることが問題であり、さらには、入浴者が入浴担架の上でバランスを崩した場合の危険性もあった。
【０００５】
本発明は、上記事情を鑑みたものであり、安全性が高く、かつ、リラックス効果の高い入浴装置を提供することを目的とする。
【課題を解決するための手段】
【０００６】
本発明は、浴槽と、入浴者が横たわる浴槽プレートと、を備える。前記浴槽は、支持台と、支持台より足側に下肢浴槽と、を有し、前記支持台の上部には、前記浴槽プレートの軸部が軸支されており、前記浴槽プレートは、頭側に備える前記軸部を回動軸として、入浴時には、水平状態から足側を前記下肢浴槽内へ下降させて傾斜状態で使用するものである。そして、前記下肢浴槽へ湯を張った状態の最大の水深は、前記浴槽プレートの足側を最下降させた際に、前記浴槽プレート上の入浴者の下半身が湯浴に浸かるほどであることを特徴とする。
【０００７】
前記下肢浴槽は、前記支持台から足側へ向けて下降する傾斜部を有することが望ましい。
【０００８】
前記浴槽プレートは、入浴者の足を支えるフットプレート有し、フットプレートは、前記浴槽プレートの長手方向へ進退可能に位置調整できることが望ましい。
【０００９】
前記浴槽の上方には、ドーム状のカバーが着脱自在に取り付けられ、前記カバーは頭側に切欠きを有し、切欠きは、入浴者の頭部をカバー外に露出させるものであることが望ましい。
【００１０】
前記カバーを取り付けた場合において、前記浴槽は、足側端部に蒸気または霧を上方へ向けて噴出するノズルを備えることが望ましい。
【００１１】
前記浴槽は、前記支持台より頭側に洗髪槽を備えることが望ましい。
【００１２】
前記浴槽と前記浴槽プレートの間に支柱が設けてあり、支柱は起倒自在であることが望ましい。
【発明の効果】
【００１３】
本発明によれば、下肢浴槽は、浴槽プレートに入浴者を横たえ、浴槽プレートの足側端部を最下降させた状態で、入浴者の上半身は湯浴に浸からず、下半身が湯浴に浸かるほどの深さであるため、安全性が高く、特に体の不自由な入浴者は安心して入浴することができる。
【００１４】
下肢浴槽に傾斜部を設けることによって、湯量を節約することが可能となり、経済的である。
また、浴槽プレートにフットプレートを設ければ、入浴者が足を置いて体を安定させることができるため、より安全性を高めることが可能となる。そして、フットプレートは位置調整可能であるため、身長の異なる多くの入浴者に対応できる。
【００１５】
本発明に切欠きを有するドーム状のカバーを設ければ、入浴者のプライバシーを確保することが可能であり、かつ、入浴者の頭部は外側へ露出するので、湯気等で息苦しさを感じることがなく、入浴補助者等とコミュニケーションをとることも可能である。
カバーを設けた本発明に、蒸気または霧を上方へ向けて噴出するノズルを備えれば、入浴者は、下肢浴槽に湯を張った状態で、前記カバー内に蒸気または霧を噴出し、体全体を安全かつ効果的に温めることができるだけでなく、蒸気や霧によって高いリラックス効果が得られる。
【図面の簡単な説明】
【００１６】
【図１】入浴装置の長手方向の断面を示す説明図である。
【図２】浴槽プレートの上面を示す斜視図である。
【図３】浴槽プレートの底面を示す斜視図である。
【図４】入浴装置のカバーを外した状態で示す平面図である。
【図５】浴槽プレートの昇降動作の説明図である。
【図６】カバーと、一部を分解した浴槽を示す斜視図である。
【発明を実施するための形態】
【００１７】
以下、本発明の実施の形態を図面に基づいて説明する。下記説明において、左右とは、図４に示すように、浴槽１を平面視した際の左右方向を示す。なお、図４は後述するベルト４２を省略して示す。
本発明は、図１の説明図に示すように、主に浴室に設置して入浴者を仰臥位で入浴させる入浴装置であって、蒸気又は霧によって上半身を温めるとともに、下半身（特に下肢）を湯浴によって温めるものであり、浴槽１と、入浴者が横たわる浴槽プレート２と、カバー５から構成される。浴槽１の高さは、入浴補助者の作業性を考慮して、本実施形態を満たす最低限の高さであることが望ましい。
【００１８】
浴槽プレート２は、浴槽１に湯を張った状態で、浴槽内へ下降させて使用するものであって、入浴者の体の大きさよりも大きく、厚みのある板状の部材であり、材質は限定されないが、例えば繊維強化プラスチック（以下、ＦＲＰと記載）を使用することが望ましい。図２乃至図４に示すように、頭載置部２１と、体載置部２２とから構成され、頭載置部２１は、後述する浴槽１の洗髪槽１３において、頭部を洗う際の作業性を確保するために、左右方向の幅を体載置部２２よりも小さくすることが望ましい。
【００１９】
図２に示すように、浴槽プレート２の上面には、フットプレート３と、溝部２０が設けてある。溝部２０は、体載置部２２において長手方向に並列して複数設けてあり、浴槽プレート２上の水捌けを良くすることが可能となる。溝部２０の形状は特に限定されることはない。
【００２０】
フットプレート３は、浴槽プレート２の上面に立設している。浴槽プレート２には、足側端部から頭側へ向かって複数の固定部２４が設けられており、固定部２４において、フットプレート３が長手方向へ進退可能に取り付けられてある。詳しくは、固定部２４は浴槽プレート２の左右の両側面に、切欠き状に設けてあり、この切欠き状の固定部２４に、フットプレート３に設けた被固定部３２を挿入することによって、フットプレート３が取り付けられる。固定部２４が複数設けてあるため、フットプレート３を取付ける位置は、入浴者の身長に合わせることが可能である。また、フットプレートには、持ち運びや固定部２４への挿入の際に便宜となるよう、取っ手３１を設けることが望ましい。
【００２１】
図３に示すように、浴槽プレート２の底面には、軸部２３と、被掛止部２５と、支柱２８と、緩衝部２７が設けてある。軸部２３は、図１及び図５に示すように、昇降機構４によって、浴槽プレート２の足側端部が上下に回動する際の回動軸となるものであって、体載置部２２の頭側端部に配置されており、左右方向に略平行に取り付けられている。
【００２２】
昇降機構４とは、図２及び図５に示すように、ベルト４２と、滑車４３と、掛止部４１と、被掛止部２５及び図示しない巻出装置から構成されるものである。詳しくは、浴槽１の足側の側壁内部に配置された巻出装置から、ベルト４２が上方へ向かって巻き出されており、巻出装置の上方に備えられた滑車４３を介して浴槽プレート２の足側端部まで延出している。巻き出されたベルト４２の先端部には、幅広のフック状の掛止部４１が設けてあり、その掛止部４１が、浴槽プレート２の足側端部の底面に設けられた被掛止部２５に掛脱可能に固定してある。ベルト４２が巻き出されることよって、浴槽プレート２は水平状態から足側を下降させた傾斜状態になり、ベルトが巻き戻されることによって、再び水平状態へ戻る。
なお、巻出装置（図示しない）と、滑車４３は、浴槽１の足側上縁に設けられた突部１７の内部に収納されるため、図６に示すように、昇降機構４において、外観から目視できるのは、滑車４３から巻き出され巻出し孔１７ａから外部へ延出するベルト４２と、掛止部４１と、被掛止部２５のみである。図２は、昇降機構４の構成を明確にするために、滑車４３に掛かったベルト４２の一部を省略しており、また、外観において目視されない滑車４３を露出した状態で図示している。ベルト４２の材質は特に限定されないが、シートベルトを用いることで、高い安全性を確保できる。図示しない巻出装置は、手動であるか電動であるかを問わない。
【００２３】
昇降機構４を浴槽プレート２から外した状態では、浴槽プレート２は、後述する下肢浴槽１４内に当接した状態となる。その際に、浴槽プレート２及び下肢浴槽１４の間には、緩衝部２７が位置しているため、浴槽プレート２及び下肢浴槽１４が破損するおそれがない。緩衝部２７は、材質や形状は限定されないが、例えばゴム製の円柱状の部材であって、浴槽プレート２の足側底部に複数設けてあることが望ましい。
【００２４】
支柱２８は、浴槽プレート２の下方に位置する下肢浴槽１４を洗浄する際に、浴槽プレート２を上方へ回動させた状態で保持するために設けられたものである。支柱２８は、浴槽プレート２の足側の角部に設けられたヒンジ部２９によって浴槽プレート２に取り付けられており、起倒自在である。昇降機構４を浴槽プレート２から外し、浴槽プレート２を上方へ持ち上げて回動させた際に、支柱２８を起こし、浴槽１側に設けた支柱係止部１６に先端を固定させることによって、浴槽プレート２を上方で保持することができる。これによって、下肢浴槽１４と浴槽プレート２との間に空間ができるため、下肢浴槽１４内と浴槽プレート２の底面を容易かつ安全に清掃することが可能となる。支柱の長さや固定位置は、浴槽プレート２を上方に傾けて安全に洗浄作業を行うことのできる範囲であれば特に限定されることはない。
【００２５】
浴槽プレート２には、足側端部に上下方向に貫通する孔２６を設けることが望ましい。孔２６の下方には、下肢浴槽１４の排水口１４ｄが位置しており、排水口１４ｄに溜まった汚物を孔２６から取り除くことができる。
【００２６】
また、図１及び図５に示すように、浴槽プレート２の頭載置部２１と体載置部２２は、鈍角に屈曲していることが望ましい。詳しくは、体載置部２２の略水平状態において、頭載置部２１が下方にやや屈曲している状態である。これによって、浴槽プレート２の足側が下方へ傾斜した際に、頭載置部２１が略水平状態となり、浴槽プレート２上に横たわる入浴者にとって楽な体勢となる。
【００２７】
浴槽プレート２の下方には、ＦＲＰ製の浴槽１が位置している。浴槽１は、図６に示すように、外側の側面をサイドカバー６によって覆われているが、サイドカバー６と、浴槽内壁との間には、図示しない浴槽フレームが枠組みされており、浴槽フレームによって浴槽内壁と、サイドカバー６と、キャスター７と、図１に示す連結具８が締結されている。浴槽フレームの材質は特に限定されないが、例えば鉄鋼材であることが望ましい。キャスター７と連結具８の取り付けは任意であるが、連結具８は、入浴者を本発明の入浴装置まで運ぶストレッチャーを固定する機能を有するため、設けてあることが望ましい。また、キャスター７を取付ける場合は、図４に示すように、浴槽１の頭側端部及び足側端部に取っ手１８を設ければ、入浴装置を移動させる際に便宜である。
【００２８】
浴槽１は、浴槽プレート２を支持する支持台１１と、支持台１１より頭側に洗髪槽１３と、支持台１１より足側に下肢浴槽１４を備えている。支持台１１の上部には、左右方向の両端部に軸支部１２が設けてあり、軸支部１２において浴槽プレート２の軸部２３が軸支してある。支持台１１は、浴槽プレート２へ入浴者が横たわった際の、入浴者の肩から胸辺りに位置していることが望ましいが、浴槽１における頭側の位置であれば特に限定されない。
【００２９】
洗髪槽１３は、入浴者の洗髪を行うためのものであって、図５に示すように、支持台１１の上面から頭側へ向かって下降する傾斜部１３ａと、底部１３ｂを有し、底部１３ｂには排水口１３ｄが設けてある。浴槽プレート２の足側を上方へ回動させた際には、浴槽プレート２の頭側端部は洗髪槽１３内に下降する。
【００３０】
下肢浴槽１４は、湯を張って入浴者の下半身を湯浴させるものであって、支持台１１の上面から足側へ向かって下降する傾斜部１４ａと、底部１４ｂと、側壁部１４ｃを有する。底部１４ｂには排水口１４ｄが設けてあり、足側の側壁部１４ｃの上方には、図４及び図６に示すように、オーバーフローを防止するための排水口１４ｅが設けてある。下肢浴槽１４において、底部１４ｂから排水口１４ｅまでの高さまで湯を張ることができるが、その最大の水深は、浴槽プレート２を下肢浴槽１４内に最下降させた際に、浴槽プレート２上の入浴者の下半身が湯浴に浸かるほどである。また、傾斜部１４ａは、緩やかな斜度であることが望ましい。
【００３１】
浴槽１の足側には、図４及び図６に示すように、下肢浴槽１４の外周側にノズル１５と、支柱係止部１６と、浴槽１の上縁から隆起した突部１７が設けてある。突部１７の内部には、昇降機構４の巻出装置と滑車４３が配置されている。突部１７の頭側の側面は、下肢浴槽１４の足側の側壁部１４ｃとひと続きになっており、その凸部１７の頭側の側面に設けられた巻出し孔１７ａからベルト４２が延出している。
【００３２】
突部１７の左右両側には、ノズル１５が設けてある。ノズル１５は、図示しない蒸気又は霧発生装置と連結しており、蒸気又は霧を上方へ向けて噴出するものである。蒸気又は霧発生装置の構成は特に限定されないが、例えば、ＩＨヒーターと水タンクを組合せた蒸気発生装置を使用することができる。また、アロマオイルを混ぜた蒸気又は霧を発生させることも可能であり、リラックス効果をより高めることができる。
【００３３】
入浴者のプライバシーを守り、かつ、入浴者の全身を温めるためには、ドーム状のカバー５を浴槽１の上部に取り付ける必要がある。カバー５は、浴槽１に取付け自在とする。カバー５は、図１及び図６に示すように入浴者の頭部を除く全身を覆うほどの大きさであり、頭側の側面には切欠５１が設けてあるため、切欠５１からカバー５の外側へ入浴者の頭部を露出することができる。入浴者の頭部が露出していることで、入浴補助者は、入浴者の洗髪や、入浴者とのコミュニケーションが可能となる。切欠５１の大きさや形状は特に限定されないが、安全性を考慮して、入浴者の頭部よりも十分に大きく、半円状であることが望ましい。切欠５１と入浴者の頭部（首部）の間には隙間ができるが、入浴者の首にタオル等を巻くことで、一層保温効果を保つことができる。
【００３４】
本発明の使用方法を説明する。まず、入浴者を迎える前に、浴槽プレート２は、体載置部２２を略水平にした状態にしておく。また、下肢浴槽１４に湯を張り、蒸気又は霧発生装置を起動させておく。そして入浴者をストレッチャーで運ぶ場合は、ストレッチャーの高さを浴槽プレート２の高さに合わせた後、ストレッチャーと本発明の入浴装置とを、連結具８において連結させる。ストレッチャー上の入浴者を簡易の担架等で浴槽プレート２上へ移動させた後、浴槽１の上からカバー５を被せ、浴槽プレート２を下降させる。入浴者の下肢を湯に浸けるとともに、上半身を蒸気又は霧で温めながら、入浴補助者は椅子等に座った状態で、洗髪やコミュニケーションをとることができる。入浴が終わると、カバー５を取り外し、シャワー等で入浴者の体を流した後、浴槽プレート２を水平状態に戻す。
【００３５】
本発明は、上記の実施形態に限定されない。入浴装置の大きさや形状は特に限定されないが、例えば、病院で使用されることを考慮して、院内のエレベーターに載せられる大きさであることが望ましい。また、浴室内で使用することに限られず、室内の一角に設置するなどして、浴室の一種として使用することも可能である。
浴槽プレート２には、浴室用のまくらを置いて使用することも可能である。また、浴槽プレート２には、より安全性を高めるため、入浴者の体を固定するベルトを備えてもよい。
本発明は必ずしも病院や施設等において体の不自由な人のみに使用するものではなく、リラックス効果を得られる入浴装置として幅広く使用されるものである。さらには、車に搭載して使用したり、家庭に設置して使用することも想定されるものである。
【符号の説明】
【００３６】
１      浴槽
１１    支持台
１２  軸支部
１３    洗髪槽
１３ａ  傾斜部
１３ｂ  底部
１３ｄ  排水口
１４    下肢浴槽
１４ａ  傾斜部
１４ｂ  底部
１４ｃ  側壁部
１４ｄ  排水口（底部）
１４ｅ  排水口（側壁部）
１５    ノズル
１６    支柱係止部
１７    突部
１７ａ  巻出し孔
１８    取っ手
２      浴槽プレート
２０    溝部
２１    頭載置部
２２    体載置部
２３    軸部
２４    固定部
２５    被掛止部
２６    孔
２７    緩衝部
２８    支柱
２９    ヒンジ部
３      フットプレート
３１    取っ手
３２    被固定部
４      昇降機構
４１    掛止部
４２    ベルト
４３    滑車
５      カバー
５１    切欠
６      サイドカバー
７      キャスター
８      連結具
【図１】
2018029886.tif 000003
【図２】
2018029886.tif 000004
【図３】
2018029886.tif 000005
【図４】
2018029886.tif 000006
【図５】
2018029886.tif 000007
【図６】
2018029886.tif 000008